(57)【要約】【課題】液体の侵入を防止できる空気清浄機を提供する。【解決手段】筒状の胴部１１の上面を無開口の天面板１５により閉塞して下面を底面板１６により覆うとともに底面板１６に吸込口１０ａを開口して胴部１１に吹出口１０ｂを開口する金属製の筐体１０と、底面板１６から下方に突出して設けられる脚部６と、吸込口１０ａと吹出口１０ｂとを連通させる通風路２５と、通風路２５内に配される送風機３３と、通風路２５内の送風機３３と吸込口１０ａとの間に配されるフィルタ３４とを備えた。【選択図】図１
2016008751.tif 000002
【特許請求の範囲】
【請求項１】
筒状の胴部の上面を無開口の天面板により閉塞して下面を底面板により覆うとともに前記底面板に吸込口を開口して前記胴部に吹出口を開口する金属製の筐体と、前記底面板から下方に突出して設けられる脚部と、前記吸込口と前記吹出口とを連通させる通風路と、前記通風路内に配される送風機と、前記通風路内の前記送風機と前記吸込口との間に配されるフィルタとを備えたことを特徴とする空気清浄機。
【請求項２】
前記天面板の周部を下方に折曲して前記胴部の上部を覆うカバー部を有することを特徴とする請求項１に記載の空気清浄機。
【請求項３】
前記筐体の内部に配置して運転を指示する操作部を備えるとともに、前記天面板が開閉可能に形成され、前記天面板を開いて前記操作部の操作が行われることを特徴とする請求項１または請求項２に記載の空気清浄機。
【請求項４】
前記天面板の内面に設置して赤外線の制御信号を送信する操作部と、前記胴部の内面に面して配置される赤外線の受光部とを備え、前記天面板が前記胴部に枢支して開閉可能に形成されるとともに周部を下方に折曲して前記胴部の上部を覆うカバー部を有し、前記送信部から送信された制御信号が、開いた際に水平面に対して傾斜して保持される前記天面板の前記カバー部及び前記胴部で反射して前記受光部に導かれることを特徴とする請求項１に記載の空気清浄機。
【請求項５】
前記筐体内に設置して前記送風機及び前記フィルタを保持するとともに前記通風路を形成するダクト部を有した本体部と、前記本体部に開口する流出口と前記吹出口とを連結する着脱可能な金属製の連結ダクトとを備え、前記連結ダクトが水平面内で屈曲することを特徴とする請求項１〜請求項４のいずれかに記載の空気清浄機。
【発明の詳細な説明】
【技術分野】
【０００１】
本発明は、床面に設置して空気中の塵埃を除去する空気清浄機に関する。
【背景技術】
【０００２】
床面に設置される従来の空気清浄機は特許文献１に開示されている。この空気清浄機はフィルタを内装する筐体を有し、床面上に設置される。筐体は吹出口を開口した底板部と、筒状の胴部の天面を覆うカップ状のカバー体とを有している。
【０００３】
底板部の下面には床面上を転動する車輪が設けられ、底板部の上面には環状の支持部材が突設される。支持部材の内側には吹出口に面して送風機が設置され、支持部材によって送風機に面して円柱状のフィルタが支持される。カバー体は底面板上に載置してフィルタを覆い、通気性を有するブリ材等により形成される。これにより、筐体の周面及び天面の全体に多数の微少な吸込口が形成される。
【０００４】
送風ファンが駆動されると、カバー体上に形成される吸込口から筐体内に空気が吸い込まれる。筐体内に流入した空気はフィルタにより塵埃を除去され、底板部に設けた吹出口から送出される。
【先行技術文献】
【特許文献】
【０００５】
【特許文献１】特許第４４１１０４６号公報（第３頁−第５頁、第３図）
【発明の概要】
【発明が解決しようとする課題】
【０００６】
しかしながら、上記従来の空気清浄機によると、吸込口が筐体のカバー体の胴部及び天面に設けられる。このため、薬品や洗浄液等の液体が筐体にかかった際に液体が吸込口から吸引される。これにより、液体が気流とともに筐体内を流通し、液体の種類によって送風機やフィルタの損傷が発生する問題があった。
【０００７】
本発明は、液体の浸入を防止できる空気清浄機を提供することを目的とする。
【課題を解決するための手段】
【０００８】
上記目的を達成するために本発明は、筒状の胴部の上面を無開口の天面板により閉塞して下面を底面板により覆うとともに前記底面板に吸込口を開口して前記胴部に吹出口を開口する金属製の筐体と、前記底面板から下方に突出して設けられる脚部と、前記吸込口と前記吹出口とを連通させる通風路と、前記通風路内に配される送風機と、前記通風路内の前記送風機と前記吸込口との間に配されるフィルタとを備えたことを特徴としている。
【０００９】
この構成によると、送風機が駆動されると、筐体の底面板に設けた吸込口から通風路に空気が流入する。通風路を流通する空気はフィルタを通過して塵埃を捕集され、胴部に設けた吹出口から送出される。薬品や洗浄液等の液体が筐体にかかった際に、液体は無開口の天面板から胴部を流下して床面に滴下する。この時、吹出口から送出される空気によって吹出口を介した液体の侵入が防止される。
【００１０】
また、本発明は上記構成の空気清浄機において、前記天面板が周部を下方に折曲して前記胴部の上部を覆うカバー部を有することを特徴としている。
【００１１】
また、本発明は上記構成の空気清浄機において、前記筐体の内部に配置して運転を指示する操作部を備えるとともに、前記天面板が開閉可能に形成され、前記天面板を開いて前記操作部の操作が行われることを特徴としている。
【００１２】
また、本発明は上記構成の空気清浄機において、前記天面板の内面に設置して赤外線の制御信号を送信する操作部と、前記胴部の内面に面して配置される赤外線の受光部とを備え、前記天面板が前記胴部に枢支して開閉可能に形成されるとともに周部を下方に折曲して前記胴部の上部を覆うカバー部を有し、前記送信部から送信された制御信号が、開いた際に水平面に対して傾斜して保持される前記天面板の前記カバー部及び前記胴部で反射して前記受光部に導かれることを特徴としている。
【００１３】
また、本発明は上記構成の空気清浄機において、前記受光部に傾斜して対向する反射板を前記胴部に設けたことを特徴としている。
【００１４】
また、本発明は上記構成の空気清浄機において、前記胴部の一面を形成する着脱可能なパネルに面して前記フィルタを配置し、前記カバー部により前記パネルの上部を覆う前記天面板を開いて前記パネルを取り外すことによって前記フィルタが着脱されることを特徴としている。
【００１５】
また、本発明は上記構成の空気清浄機において、前記送風機よりも下流の前記通風路を形成するダクト部にイオンを放出するイオン発生装置を備え、前記ダクト部の前記パネルに面した壁面上に前記イオン発生装置を設置して前記パネルの取り外しによって前記イオン発生装置が着脱されることを特徴としている。
【００１６】
また、本発明は上記構成の空気清浄機において、前記送風機が前後方向の一面に吸気口を有するシロッコファンにより形成され、前記通風路が前記送風機から側方に延びて前記吹出口が前記筐体の側面に開口することを特徴としている。
【００１７】
また、本発明は上記構成の空気清浄機において、前記筐体内に設置して前記送風機及び前記フィルタを保持するとともに前記通風路を形成するダクト部を有した本体部と、前記本体部に開口する流出口と前記吹出口とを連結する着脱可能な金属製の連結ダクトとを備え、前記連結ダクトが水平面内で屈曲することを特徴としている。
【００１８】
また、本発明は上記構成の空気清浄機において、前記本体部が前記連結ダクトの係止により位置決めされることを特徴としている。
【００１９】
また、本発明は上記構成の空気清浄機において、前記連結ダクトの下壁に液体の貯液部を凹設したことを特徴としている。
【００２０】
また、本発明は上記構成の空気清浄機において、水平方向に延びて上下方向に並設される複数のルーバーを前記吹出口に設け、前記ルーバーが外側に向かって下がるように傾斜することを特徴としている。
【００２１】
また、本発明は上記構成の空気清浄機において、前記フィルタの鉛直下方に空間部を介して前記吸込口が配されることを特徴としている。
【発明の効果】
【００２２】
本発明によると、金属から成る筐体の胴部の上面が無開口の天面板により閉塞され、胴部に吹出口が開口して底面板に吸込口が開口する。このため、筐体上に液体がかかった際に筐体の変質を防止できるとともに、筐体内への液体の浸入を防止して送風機及びフィルタの損傷を防止することができる。
【図面の簡単な説明】
【００２３】
【図１】本発明の第１実施形態の空気清浄機を示す斜視図
【図２】本発明の第１実施形態の空気清浄機を示す正面図
【図３】本発明の第１実施形態の空気清浄機を示す左側面図
【図４】本発明の第１実施形態の空気清浄機を示す底面図
【図５】本発明の第１実施形態の空気清浄機の筐体の上部を示す左側面断面図
【図６】本発明の第１実施形態の空気清浄機の筐体の天面板を開いた状態を示す左側面図
【図７】本発明の第１実施形態の空気清浄機の筐体の天面板を開いた状態を示す正面図
【図８】本発明の第１実施形態の空気清浄機の筐体の内部を示す斜視図
【図９】本発明の第１実施形態の空気清浄機の筐体の内部を示す上面図
【図１０】本発明の第１実施形態の空気清浄機の連結ダクトを示す斜視図
【図１１】本発明の第１実施形態の空気清浄機を示す左側面断面図
【図１２】本発明の第１実施形態の空気清浄機の本体部の要部を示す正面図
【図１３】本発明の第１実施形態の空気清浄機の天面板を開いた状態を示す側面断面図
【図１４】本発明の第２実施形態の空気清浄機の天面板を開いた状態を示す側面断面図
【図１５】本発明の第３実施形態の空気清浄機の第２ダクト部を示す斜視図
【図１６】本発明の第４実施形態の空気清浄機の第２ダクト部を示す正面断面図
【図１７】本発明の第５実施形態の空気清浄機を示す側面断面図
【発明を実施するための形態】
【００２４】
＜第１実施形態＞
以下に図面を参照して本発明の実施形態を説明する。図１〜図４は第１実施形態の空気清浄機の斜視図、正面図、左側面図及び底面図を示している。空気清浄機１は本体部３０（図８参照）を覆うステンレス等の金属製の筐体１０を備えている。筐体１０は水平断面が矩形の筒状の胴部１１の上面を天面板１５により覆い、下面を底面板１６により覆う。
【００２５】
底面板１６の下面には左右一対の脚部６が下方に突出して形成される。脚部６は上下に延びた柱状部６ａの下端に前後に延びた設置部６ｂを設けたＴ字状に形成される。左右の脚部６の柱状部６ａは連結部６ｃにより連結して補強される。設置部６ｂの下面にはキャスター７が設けられ、床面上に設置される空気清浄機１がキャスター７の転動により移動可能になっている。
【００２６】
本実施形態の空気清浄機１は床面から筐体１０上面までの高さを約８００ｍｍ、筐体１０の横幅を約１３００ｍｍ、筐体１０の奥行を約３５０ｍｍに形成される。設置部６ｂの奥行は筐体１０の奥行と同じまたは小さく形成される。これにより、空気清浄機１の近くを歩行する歩行者が誤って足を脚部６に引っ掛けることが防止される。
【００２７】
胴部１１は背面板１２、側面板１３及び前面パネル１４により形成される。背面側に配される背面板１２、両側面に配される一対の側面板１３及び底面板１６はリベットやネジ等により一体化される。前面側に配される前面パネル１４は底面板１６及び側面板１３の前端に係合し、着脱可能に配される。
【００２８】
底面板１６には吸込口１０ａが開口し、両側面板１３の前部には吹出口１０ｂが開口する。吸込口１０ａには着脱可能なプレフィルタ（不図示）が配される。プレフィルタは例えば樹脂成形品の格子状の枠体にネットを固着して形成され、空気に含まれる粗い塵埃を捕集する。また、詳細を後述するように、天面板１５は背面板１２に枢支され、胴部１１の上面を開閉可能に配される。
【００２９】
図５は筐体１０の上部の左側面断面図を示している。筐体１０は上方から見て胴部１１の外縁よりも天面板１５の外縁が僅かに突出し、上方から天面板１５のみが視認されるように形成される。上方から見て胴部１１の外縁と天面板１５の外縁とを一致させてもよい。
【００３０】
天面板１５は金属板の絞り加工等によって無開口に形成される。これにより、胴部１１の上面は無開口の天面板１５によって閉塞される。また、天面板１５の周部には下方に折曲したカバー部１５ａが設けられる。カバー部１５ａにより胴部１１の上部が覆われ、天面板１５と胴部１１との上下方向の隙間Ｄ１の露出を防止する。
【００３１】
前面パネル１４の前面上部には下方に対して凹む段差部１４ａが形成される。段差部１４ａには開口部１４ｂが形成され、開口部１４ｂは天面板１５のカバー部１５ａにより覆われる。
【００３２】
背面板１２の上端には後方を開放した凹部１２ａが形成され、天面板１５の背面側のカバー部１５ａは凹部１２ａに面して開口する。使用者は凹部１２ａ内に手指を挿入して天面板１５を把持し、筐体１０を押して空気清浄機１を容易に搬送できるようになっている。
【００３３】
凹部１２ａの上壁１２ｂと天面板１５の背面側のカバー部１５ａとはヒンジ１８により連結される。これにより、天面板１５が胴部１１の背面板１２に枢支され、胴部１１の上面を開閉することができる。ヒンジ１８の取り付けのために形成される凹部１２ａの上壁１２ｂの後端とカバー部１５ａの内面との隙間Ｄ２はシール材（不図示）によりシールされる。
【００３４】
筐体１０が金属により形成されるため、薬品等の液体が筐体１０にかかった際に液体による筐体１０の変質が防止される。また、筐体１０の上面が無開口の天面板１５により閉塞されるため、洗浄液や薬品等の液体が筐体１０にかかった際に上方から筐体１０内への液体の浸入が防止される。この時、吸込口１０ａが底面板１６に開口するとともに吹出口１０ｂから空気が送出されるため、筐体１０を流下する液体の吸込口１０ａ及び吹出口１０ｂを介した侵入も防止される。
【００３５】
図６、図７は空気清浄機１の天面板１５を開いた状態を示す左側面図及び正面図である。天面板１５及び側面板１３には伸縮可能なストッパ１９の両端がそれぞれ軸支される。これにより、天面板１５は開いた際にストッパ１９によって水平面に対して傾斜して保持される。
【００３６】
また、天面板１５を開くと前面パネル１４の開口部１４ｂが露出する。開口部１４ｂに手指を挿入して前面パネル１４を把持し、前面パネル１４を取り外すことができる。
【００３７】
図８、図９は空気清浄機１の筐体１０の内部の斜視図及び上面図であり、天面板１５を開いて前面パネル１４を取り外した状態を示している。筐体１０の底面板１６上には後述する送風機３３（図１１参照）やフィルタ３４（図１１参照）を保持する本体部３０が設置される。本体部３０は樹脂成形品から成るハウジング３１により覆われる。ハウジング３１の前面には流入口３１ａ（図１２参照）が開口し、両側面には流出口３１ｂ（図１２参照）が開口する。
【００３８】
筐体１０内の両側部には吹出口１０ｂと本体部３０の流出口３１ｂ（図１２参照）とを連結する連結ダクト２１が配される。図１０は連結ダクト２１の斜視図を示している。連結ダクト２１はステンレス等の金属により形成され、ネジ孔２１ｅに螺合するネジ（不図示）によって側面板１３に取り付けられる。ネジを外すことによって筐体１０から連結ダクト２１を取り外して連結ダクト２１の洗浄等を行うことができる。
【００３９】
吹出口１０ｂに面した連結ダクト２１の開口部２１ａには縦方向に延びる複数のルーバー２１ｂが前後に並設される。また、連結ダクト２１は屈曲部２１ｄにより水平面内で屈曲し、取り付け時に本体部３０（図８参照）側の端面が前後方向に対して傾斜する。
【００４０】
図８、図９において、本体部３０のハウジング３１の両側面は前後方向に対して傾斜して連結ダクト２１の端面に接し、ハウジング３１の背面は背面板１２に近接する。本体部３０が筐体１０の後部に配されるため、屈曲部２１ｄで屈曲した連結ダクト２１によって筐体１０の前部に配される吹出口１０ｂと本体部３０の流出口３１ｂとを連結することができる。本体部３０は左右の連結ダクト２１の間に上方から挿入され、連結ダクト２１の係止によって位置決めされる。これにより、本体部３０を容易に設置することができる。
【００４１】
また、連結ダクト２１が金属により形成されるため、液体が吹出口１０ｂに直接かかった際に連結ダクト２１の変質を防止することができる。加えて、連結ダクト２１が屈曲部２１ｄにより水平面内で屈曲するため、液体が吹出口１０ｂに直接かかった際に本体部３０内への液体の侵入を低減することができる。
【００４２】
天面板１５の内面には保持部材２２ａにより保持された着脱可能なリモートコントローラから成る操作部２２が設置される。操作部２２は使用者の操作によって赤外線の制御信号を送信し、空気清浄機１のオンオフや風量設定等の運転を指示する。本体部３０の前面には前面パネル１４の内面に面して左右方向の中央部に制御信号の受光部３７及び報知部（不図示）が設けられる。報知部は複数のＬＥＤから成り、空気清浄機１の運転状態をＬＥＤの点灯により報知する。尚、操作部２２を本体部３０に有線接続してもよく、本体部３０上に操作部２２を設けてもよい。
【００４３】
操作部２２は筐体１０の内部に配置され、天面板１５を開いて操作部２２の操作が行われる。このため、筐体１０に赤外線の透過口を設ける必要がなく、透過口を介した液体の侵入を防止できる。尚、透過口をガラス等の透明部材で塞ぐと、部品点数が増加するため空気清浄機１のコストが増加する。
【００４４】
また、操作部２２が有線接続される場合は、操作部２２に接続される導線が金属製の筐体１０の外面に引き出されないため筐体１０に対する導線の絶縁対策を施す必要がない。このため、空気清浄機１のコストを削減することができる。
【００４５】
また、操作部２２が赤外線の制御信号を送信するリモートコントローラにより形成される。このため、樹脂成形品の筐体を有してリモートコントローラにより操作される一般の空気清浄機と同様に本体部３０を製造することができる。従って、生産設備の共通化を図り、空気清浄機１のコストを削減することができる。
【００４６】
図１１は空気清浄機１の左側面断面図であり、図１２は本体部３０のハウジング３１の右側部を示す正面図である。筐体１０内の本体部３０と前面パネル１４の間には空間部２６が形成される。
【００４７】
本体部３０のハウジング３１の前面を覆う前面カバー３１ｃには受光部３７（図８参照）の左右にそれぞれ流入口３１ａが開口し、ハウジング３１の両側面には流出口３１ｂが開口する。前述したように、連結ダクト２１（図８参照）は流出口３１ｂに面して配される。ハウジング３１内には流入口３１ａと流出口３１ｂとを連結する２つのダクト部３２が左右方向に延びて設けられる。
【００４８】
各ダクト部３２にはそれぞれ流入口３１ａに面してシロッコファンから成る送風機３３が配置される。送風機３３は吸気口を流入口３１ａに面して軸方向を前後に配され、流入口３１ａを介して前方から流入する空気を側方に向けて排気する。
【００４９】
送風機３３の駆動によって室内の空気は吸込口１０ａ（図４参照）から上方に向けて筐体１０内に流入する。筐体１０内に流入した空気は空間部２６から後方に流通し、ダクト部３２及び連結ダクト２１（図８参照）を側方に流通して吹出口１０ｂ（図１参照）から送出される。従って、空間部２６、ダクト部３２及び連結ダクト２１は吸込口１０ａと吹出口１０ｂとを連通させる通風路２５を構成する。
【００５０】
前面カバー３１ｃ上には左右の流入口３１ａをそれぞれ覆うフィルタ３４が設置される。天面板１５を開いて前面パネル１４を取り外すことにより、前方からフィルタ３４を着脱してフィルタ３４の清掃や交換を行うことができる。
【００５１】
フィルタ３４は前方から集塵フィルタ（不図示）、ＨＥＰＡフィルタ（不図示）、脱臭フィルタ３４ａ（図８参照）を順に重ねて形成される。集塵フィルタは空気中に含まれる比較的大きな塵埃を捕集する。ＨＥＰＡフィルタは空気中に含まれる微細な塵埃を捕集する。脱臭フィルタ３４ａは例えば、不織布に活性炭を分散保持して構成され、空気中の臭い成分を吸着して除去する。
【００５２】
尚、前述の図８はフィルタ３４の集塵フィルタ及びＨＥＰＡフィルタを取り外して脱臭フィルタ３４ａが装着された状態を示している。集塵フィルタ、ＨＥＰＡフィルタ、脱臭フィルタ３４ａのいずれかを省いてフィルタ３４を形成してもよい。また、脱臭フィルタ３４ａをＨＥＰＡフィルタまたは集塵フィルタの前方に配置してもよい。
【００５３】
ダクト部３２の前壁を形成する前面カバー３１ｃには各ダクト部３２内にイオンを放出する２つのイオン発生装置３６が取り付けられる。前面パネル１４及びフィルタ３４を取り外すことにより、前方からイオン発生装置３６を着脱してイオン発生装置３６の交換を行うことができる。
【００５４】
イオン発生装置３６は一対の放電電極（不図示）を有し、交流波形またはインパルス波形から成る高電圧の印加によってコロナ放電が発生する。一方の放電電極には正電圧が印加され、コロナ放電により空気中の水分子が電離して水素イオンが生成される。この水素イオンが溶媒和エネルギーにより空気中の水分子とクラスタリングする。これにより、Ｈ+（Ｈ2Ｏ）ｍ（ｍは０または任意の自然数）から成る空気イオンの正イオンが放出される。
【００５５】
他方の放電電極には負電圧が印加され、コロナ放電により空気中の酸素分子または水分子が電離して酸素イオンが生成される。この酸素イオンが溶媒和エネルギーにより空気中の水分子とクラスタリングする。これにより、Ｏ2-（Ｈ2Ｏ）ｎ（ｎは任意の自然数）から成る空気イオンの負イオンが放出される。Ｈ+（Ｈ2Ｏ）ｍ及びＯ2-（Ｈ2Ｏ）ｎは空気中の浮遊菌や臭い成分の表面で凝集してこれらを取り囲む。
【００５６】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ’、ｎ’は任意の自然数である。従って、プラスイオン及びマイナスイオンを発生して吹出口１０ｂから送出することにより室内の殺菌及び臭い除去を行うことができる。
【００５７】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ  ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００５８】
図１３は空気清浄機１の天面板１５を開いた状態の左側面断面図を示している。操作部２２から送信される制御信号は矢印Ａ１に示すように天面板１５のカバー部１５ａの内面で反射し、前面パネル１４の内面で反射する。前面パネル１４の内面で反射した制御信号は空間部２６を介して受光部３７（図８参照）に導かれる。これにより、空気清浄機１が制御信号に基づいて運転される。
【００５９】
天面板１５に下方に折曲したカバー部１５ａを設け、前面パネル１４と本体部３０との間に空間部２６を設けることにより、天面板１５の内面に配した操作部２２から本体部３０の前面に配した受光部３７に赤外線の制御信号を容易に導くことができる。
【００６０】
上記構成の空気清浄機１において、操作部２２の指示により運転を開始すると、送風機３３及びイオン発生装置３６が駆動される。送風機３３の駆動によって室内の空気は吸込口１０ａから筐体１０内に流入し、フィルタ３４により塵埃の除去及び脱臭が行われる。フィルタ３４を通過した空気はダクト部３２を流通し、イオン発生装置３６により発生したイオンが含まれる。イオンを含む空気はダクト部３２及び連結ダクト２１を流通し、吹出口１０ｂから送出される。これにより、室内が更に脱臭されるとともに室内の除菌が行われる。
【００６１】
本実施形態によると、金属から成る筐体１０の胴部１１の上面が無開口の天面板１５により閉塞され、胴部１１に吹出口１０ｂが開口して底面板１６に吸込口１０ａが開口する。このため、筐体１０上に液体がかかった際に筐体１０の変質を防止できるとともに、筐体１０内への液体の浸入を防止して送風機３３及びフィルタ３４の損傷を防止することができる。
【００６２】
また、天面板１５の周部を下方に折曲したカバー部１５ａにより胴部１１の上部を覆うため、天面板１５と胴部１１との上下方向の隙間Ｄ１を露出させない。これにより、筐体１０内への液体の浸入をより確実に防止することができる。
【００６３】
また、筐体１０の内部に配置した操作部２２の操作が天面板１５を開いて行われるので、赤外線の制御信号の透過口が不要となるため透過口を介した液体の侵入を防止することができる。また、操作部２２が有線接続される場合は、操作部２２に接続される導線の筐体１０に対する絶縁対策を施す必要がないため、空気清浄機１のコストを削減することができる。
【００６４】
また、開いた際に水平面に対して傾斜する天面板１５の内面に設置した操作部２２から赤外線の制御信号が送信され、制御信号はカバー部１５ａ及び胴部１１（前面パネル１４）で反射して前面パネル１４に面した受光部３７に導かれる。これにより、リモートコントローラから成る操作部２２により確実に空気清浄機１の運転を指示することができる。
【００６５】
また、胴部１１の一面を形成する着脱可能な前面パネル１４の上部がカバー部１５ａにより覆われ、天面板１５を開いて前面パネル１４を取り外すことによりフィルタ３４が着脱される。これにより、着脱可能な前面パネル１４の脱落がカバー部１５ａにより防止されるとともに、前面パネル１４を取り外して前面パネル１４に面したフィルタ３４を容易に着脱することができる。従って、空気清浄機１の利便性を向上することができる。
【００６６】
また、送風機３３よりも下流の通風路２５を形成するダクト部３２の前壁（前面カバー３１ｃ）上にイオン発生装置３６を設置し、前面カバー３１ｃに面した前面パネル１４の取り外しによってイオン発生装置３６が着脱される。これにより、イオン発生装置３６を容易に着脱してイオン発生装置３６を交換することができる。従って、空気清浄機１の利便性を向上することができる。
【００６７】
また、送風機３３が前後方向の一面に吸気口を有するシロッコファンにより形成され、通風路２５が送風機３３から側方に延びて吹出口１０ｂが筐体１０の側面に開口する。これにより、底面板１６に開口する吸込口１０ａから胴部１１に開口する吹出口１０ｂに気流を導く空気清浄機１を容易に実現することができる。
【００６８】
また、金属から成る連結ダクト２１が屈曲部２１ｄにより水平面内で屈曲するため、液体が吹出口１０ｂに直接かかった際に、連結ダクト２１の変質を防止するとともに本体部３０内への液体の侵入を低減することができる。尚、連結ダクト２１が吹出口１０ｂに対して本体部３０側を上方になるように垂直面内で屈曲してもよい。これにより、本体部３０内への液体の侵入を低減することができる。
【００６９】
また、本体部３０が連結ダクト２１の係止により位置決めされるので、筐体１０内に本体部３０を容易に設置することができる。従って、空気清浄機１の製造工数を削減することができる。
【００７０】
＜第２実施形態＞
次に、図１４は第２実施形態の空気清浄機１の天面板１５を開いた状態の左側面断面図を示している。説明の便宜上、前述の図１〜図１３に示す第１実施形態と同様の部分には同一の符号を付している。本実施形態は前面パネル１４の内面に反射板２３が設けられる。その他の部分は第１実施形態と同様である。
【００７１】
前面パネル１４の内面に設置される反射板２３は受光部（図８参照）及び報知部に傾斜して対向し、上面を鏡面加工した金属板等により形成して光を反射する。
【００７２】
操作部２２から送信される制御信号は前述の図１３の矢印Ａ１に示すようにカバー部１５ａ及び前面パネル１４の内面で反射して受光部３７（図８参照）に導かれる。また、図１４の矢印Ａ２に示すように、カバー部１５ａで受光部３７よりも下方に向けて反射される制御信号は反射板２３で反射して受光部３７に導かれる。これにより、制御信号をより確実に受光部３７に導くことができる。
【００７３】
また、本体部３０の左右方向の中央部に配される報知部のＬＥＤの出射光は矢印Ｂ１に示すように反射板２３で反射して上方に導かれる。これにより、天面板１５を開いて空気清浄機１の運転状態を上方から容易に視認することができる。従って、空気清浄機１の利便性を向上することができる。
【００７４】
本実施形態によると、第１実施形態と同様の効果を得ることができる。また、受光部３７に傾斜して対向する反射板２３を前面パネル１４に設けたので、リモートコントローラから成る操作部２２によってより確実に空気清浄機１の運転を指示することができる。
【００７５】
＜第３実施形態＞
次に、第３実施形態の空気清浄機１について説明する。本実施形態は第１実施形態に対して連結ダクト２１の構成が異なっている。その他の部分は第１実施形態と同様である。図１５は本実施形態の連結ダクト２１の斜視図を示している。説明の便宜上、前述の図１０と同様の部分には同一の符号を付している。
【００７６】
連結ダクト２１の吹出口１０ｂ（図８参照）に面した開口部２１ａには水平方向に延びる複数のルーバー２１ｃが上下に並設される。ルーバー２１ｃは外側に向かって下がるように傾斜して配される。これにより、液体が吹出口１０ｂに直接かかった際に、ルーバー２１ｂにより液体を遮り、本体部３０内への液体の侵入をより低減することができる。
【００７７】
本実施形態によると、第１実施形態と同様の効果を得ることができる。また、水平方向に延びて外側に向かって下がるように傾斜する複数のルーバー２１ｃを吹出口１０ｂの上下方向に並設したので、本体部３０内への液体の侵入をより低減することができる。
【００７８】
尚、連結ダクト２１に屈曲部２１ｄが設けられない場合でも、外側に向かって下がるように傾斜するルーバー２１ｃにより本体部３０内への液体の侵入を低減することができる。また、本実施形態のように連結ダクト２１に屈曲部２１ｄが設けられる場合には、ルーバー２１ｃを水平または外側に向かって上がるように傾斜してもよい。これにより、吹出口１０ｂからの空気の送出方向を水平または上向きにできるとともに、屈曲部２１ｄによって本体部３０内への液体の侵入を低減することができる。
【００７９】
本実施形態において、ルーバー２１ｃを筐体１０の側面板１３（図８参照）と一体に形成してもよい。また、第２実施形態に本実施形態と同様のルーバー２１ｃを設けてもよい。
【００８０】
＜第４実施形態＞
次に、第４実施形態の空気清浄機１について説明する。本実施形態は第１実施形態に対して連結ダクト２１の構成が異なっている。その他の部分は第１実施形態と同様である。図１６は本実施形態の連結ダクト２１の正面断面図を示している。説明の便宜上、前述の図１０と同様の部分には同一の符号を付している。
【００８１】
連結ダクト２１の下壁２１ｇには貯液部２１ｆが凹設される。これにより、液体が吹出口１０ｂに直接かかった際に、貯液部２１ｆに液体を貯液して本体部３０内への液体の侵入をより低減することができる。貯液部２１ｆに貯まった液体は連結ダクト２１を取り外して廃棄することができる。
【００８２】
本実施形態によると、第１実施形態と同様の効果を得ることができる。また、連結ダクト２１の下壁２１ｇに液体の貯液部２１ｆを凹設したので、本体部３０内への液体の侵入をより低減することができる。
【００８３】
尚、連結ダクト２１に屈曲部２１ｄが設けられない場合でも、貯液部２１ｆにより本体部３０内への液体の侵入を低減することができる。また、第２、第３実施形態に本実施形態と同様の貯液部２１ｆを設けてもよい。
【００８４】
＜第５実施形態＞
次に、図１７は第５実施形態の空気清浄機１の左側面断面図を示している。説明の便宜上、前述の図１〜図１３に示す第１実施形態と同様の部分には同一の符号を付している。本実施形態は筐体１０内に空間部２７が設けられる。その他の部分は第１実施形態と同様である。
【００８５】
フィルタ３４は本体部３０の前面に保持され、本体部３０と前面パネル１４との間の空間部２６に連続した空間部２７がフィルタ３４の鉛直下方に形成される。底面板１６に設けた吸込口１０ａ（図４参照）は空間部２６及び空間部２７に面して形成される。
【００８６】
送風機３３の駆動により、吸込口１０ａを介して筐体１０内の空間部２６及び空間部２７に空気が流入する。空間部２７に流入した空気は前方の空間部２６に導かれ、空間部２６に流入した空気と合流して後方のフィルタ３４に導かれる。このため、吸込口１０ａの開口面積を広く形成して所望の気流量を確保するとともに、空間部２６及び筐体１０の前後幅を小さくすることができる。
【００８７】
本実施形態によると、第１実施形態と同様の効果を得ることができる。また、フィルタ３４の鉛直下方に空間部２７を介して吸込口１０ａを設けたので、所望の気流量を確保するとともに筐体１０の前後幅を小さくすることができる。従って、空気清浄機１の小型化を図ることができる。尚、第２〜第４実施形態に本実施形態と同様の空間部２７を設けてもよい。
【００８８】
第１〜第５実施形態において、吹出口１０ｂが筐体１０の側面に開口するが、胴部１１上に開口していればよい。例えば、ダクト部３２を前後方向に延びて形成し、吹出口１０ｂを筐体１０の前面または背面に形成してもよい。
【産業上の利用可能性】
【００８９】
本発明によると、床面に設置される空気清浄機に利用することができる。
【符号の説明】
【００９０】
１    空気清浄機
６    脚部
７    車輪
１０    筐体
１０ａ  吸込口
１０ｂ  吹出口
１１    胴部
１２    背面板
１２ａ  凹部
１３    側面板
１４    前面パネル
１４ａ  段差部
１４ｂ  開口部
１５    天面板
１５ａ  カバー部
１６    底面板
１８    ヒンジ
１９    ストッパ
２１    連結ダクト
２１ｂ、２１ｃ  ルーバー
２１ｄ  屈曲部
２１ｆ  貯液部
２２    操作部
２３    反射板
２５    通風路
２６、２７  空間部
３０    本体部
３１    ハウジング
３１ａ  流入口
３１ｂ  流出口
３１ｃ  前面カバー
３２    ダクト部
３３    送風機
３４    フィルタ
３４ａ  脱臭フィルタ
３６    イオン発生装置
３７    受光部
【図１】
2016008751.tif 000003
【図２】
2016008751.tif 000004
【図３】
2016008751.tif 000005
【図４】
2016008751.tif 000006
【図５】
2016008751.tif 000007
【図６】
2016008751.tif 000008
【図７】
2016008751.tif 000009
【図８】
2016008751.tif 000010
【図９】
2016008751.tif 000011
【図１０】
2016008751.tif 000012
【図１１】
2016008751.tif 000013
【図１２】
2016008751.tif 000014
【図１３】
2016008751.tif 000015
【図１４】
2016008751.tif 000016
【図１５】
2016008751.tif 000017
【図１６】
2016008751.tif 000018
【図１７】
2016008751.tif 000019